(57)【要約】   【課題】  隣接地に雨水を排出することなく、敷地のサイズや既設建造物の形状に対応し、少ない骨組部材で、容易に組立及び解体が可能な、組立式テントを提供する。  【解決手段】  側面部膜部材を、緊張力を有する構造とする事で壁相当部を形成し、この事が、骨組部材を、支柱のみに削減する事を可能にした。これにより製作の主要工程を膜部材に絞る事ができ、多様な、敷地サイズ及び既設建造物への対応を容易にした。湾曲加工した間口側の側面部膜部材に屋根部膜部材を連結することで、雨水の滞留や隣接地への雨水の排出を防ぎ、屋根部膜部材に補強用膜部材を設けて膜部材の上下動を防止して安定させ、ラチェット機能を有する支柱を回転させて膜部材の張設をなす事で、設営作業を容易にした事を特徴とする組立式テントであり、横梁で支柱を固定した自立型や、中央部支持型の多角形状をも含む。  【選択図】   図１
2008231833.tif 000002
【特許請求の範囲】
【請求項１】
側面部に位置する支柱間に、上辺縁部を湾曲状に加工した側面部膜部材を張設し、同様に対面する側にも、対となる側面部膜部材を張設し、この双方の側面部膜部材を、屋根部膜部材で連結したことを特徴とする、組立式テント。        
【請求項２】
前記、請求項１記載の屋根部膜部材を、間口部に向かって勾配を有する平面状もしくは湾曲面状、または鞍型曲面状、もしくは、平面状膜に湾曲面状や鞍型曲面状膜を複合した形状とした事を特徴とする、請求項１記載の組立式テント。  
【請求項３】
間口側に位置する側面部膜部材の上辺縁部を湾曲状に加工し、請求項２記載の、屋根部膜部材の、間口側の縁部に連結した事を特徴とする、請求項１と２記載の組立式テント。
【請求項４】
請求項２記載の、屋根部膜部材の裏面に、低辺縁部を湾曲状に、上辺縁部を湾曲もしくは水平状に加工した、補強用膜部材を設けた事を特徴とする請求項１と２と３記載の組立式テント。
【請求項５】
多角形の角部に位置する支柱を、上辺縁部を湾曲状に加工した側面部膜部材でそれぞれ連結し、この側面部膜部材の上辺縁部に、屋根部相当の多角錐状膜部材の底辺縁部を連結し、この屋根の頂上部を、支持部材で押し上げて構築する事を特徴とする、組立式テント。
【請求項６】
傾けた支柱の上端部に膜部材を引き掛け、支柱を回転可能に固定し、これを軸に支柱上部を回転させる事で、膜部材の張設をなす事を特徴とする、請求項１と２と３と４と５記載の組立式テント。    
【請求項７】
支柱の回転方向と平行に、支柱方向誘導部材を設け、これに沿って支柱を回転させることで、所定の方向へ支柱を誘導する事を特徴とする、請求項６記載の膜部材の張設に関する支柱部材。
【請求項８】
回転可能な支柱に於いて、回転途中で停止させ、またはこれを解除する機能を持たせる事で、支柱の回転運動の制御をなすことを特徴とする、請求項６記載の支柱部材。
【請求項９】
支柱上部間を、支柱への嵌合部材を両端部に有する横梁部材で連結する事で、支柱の自立を可能にした事を特徴とする請求項１と２と３と４と５記載の組立式テント。
【発明の詳細な説明】
【技術分野】
【０００１】
本発明は、墓地等で催される、各種行事や、テラスでのホームパーティー、レジャー等に供するテントに関する物である。
【背景技術】
【０００２】
従来の組立式テントは、雨水の滞留防止のために、大量の骨組を必要とし、運搬や組立に多大な労力を必要とした。
【０００３】
テントのサイズが所定の大きさや形状に限定され、設営敷地の広さ、既設の建造物等への対応が困難である。    
【発明の開示】
【発明が解決しようとする課題】
【０００４】
本発明の開示のためには、発明に至った事情の説明が不可欠であるため、これを述べる
【０００５】
特定の地域、特に南西諸島に多く見られる墓地の形態は、その敷地内に広場を有し、納骨部を地上に設けるため、通常の建造物同様に内部空間や、屋根、壁、軒等を有し、コンクリートの土間の上に墓本体が建立されている。
【０００６】
ここに、重箱等を持ち寄り、酒を酌み交わし、故人を偲びつつ、時には談笑し、親族の絆を強める場ともなり、この墓前の広場は重要な空間となるため、紫外線や降雨等への対策は大きな課題である。
【０００７】
清明祭等の行事は、地域全体が同じ日に各々の墓に集うのが習わしで、従って行事日には、隣人の存在が常であり、降雨時に、両側に接する敷地に雨水を排出することは禁物であるが、従来のテントでは、敷地や墓の形状に対応できないために、これを解決できないのが現状である。
【０００８】
限りある墓用地の有効利用の結果、急斜面への建立が目立ち、自動車等での乗り入れが困難な立地となっている場合が多く、また、墓同士が密着した状態が殆どである。
【０００９】
従来の組立式テントは、骨組部材が多く、上述の様な立地条件のため、運搬や組立及び解体が不可能か、もしくは多大な労力を必要とする。特に高齢者世帯等に於けるテントの使用は困難を極める。テラスや、レジャー等での使用に関しても同様の事情である。
【００１０】
上述のような問題点、つまり、紫外線を防御し、隣接地に雨水を排出することなく、敷地のサイズや既設建造物の形状に対応し、少ない骨組部材で、容易に組立及び解体が可能な、組立式テントを提供する事が、本発明の目的である。    
【課題を解決するための手段】
【００１１】
請求項１は、側面部に位置する支柱間（１ａ〜１ｂ）に、上辺縁部を湾曲状に加工した側面部膜部材２を張設し、同様に対面する側にも、対となる側面部膜部材を張設する。この側面部膜部材は、緊張力を有するため、壁相当部となる。
これに屋根部膜部材３を連結することで、組立式テントを構築する。（図１−Ａ、Ｂ）
【００１２】
請求項２は、請求項１記載の、側面部膜部材２に連結する屋根部膜部材３の形状に関する
２
もので（図２）、間口部に向かって勾配を有する平面状３ａもしくは湾曲面状３ｂ、または鞍型曲面状３ｃ、もしくは平面状に、湾曲面状３ｂや鞍型曲面状３ｃを複合した形状３ｄとする。
【００１３】
図３は、鞍型曲面形状３ｃの例示であるが、これは縁部の全方向に初期張力を与える事で、膜面を安定させる構造となっている。
【００１４】
なお、鞍型の膜部材３ｃの裁断及び加工に関しては、当業者にとっては、容易になせる技術なので、これの説明を省略する。
【００１５】
請求項３は、屋根部膜部材３の縁部９の処理に関するもので（図４）、間口側の側面部（そくめんぶ）膜部材４の上辺縁部１０を湾曲状に加工し、これを屋根部膜部材３の間口側縁部９に連結する。さらに、間口側の側面部膜部材４の底辺部を湾曲加工することで、下方への張力を生じさせ、膜部材を安定させる。また、結合部に丸み１０を持たせ、水の流れを円滑にする。
【００１６】
請求項４は、風による膜部材の上下動の防止に関するもので（図５）、上述のの屋根部膜部材３の裏側に、低辺縁部を湾曲状に加工して下方への張力持たせた補強用膜部材１１を設ける。湾曲状３ｂに於いては、この補強用膜部材１１の上辺縁部は湾曲状となり、平面状３ａの屋根部に於いては、これが水平となる。
【００１７】
請求項５は、中央部支持型のテントに関するもので（図６）、上辺縁部を湾曲状に加工した側面部膜部材２でそれぞれの支柱１ｄを連結し、この上に多角錐状膜部材３ｅを載せる。中央部に位置する頂上部を、中央部支持用支柱１ｃで押し上げて雨水の滞留を防止する。
【００１８】
請求項６は、膜部材の張設方法に関するものである。（図７，８）
コンクリートの土間等に支柱固定部材３４で回転可能に固定し、これに支柱１を取り付け、この支柱１の上端部に膜部材を引き掛け、支柱１を起こし、支柱上部を、テント外側方向に移動させる事で膜部材の張設をなす。
【００１９】
請求項７は、支柱１の回転方向を制御して膜部材に張力を与える事を目的とする。
支柱の回転方向と平行に、支柱方向誘導部材３３を設け、これに沿って支柱１を回転させ、所定の方向へ支柱上部を移動させる事で膜部材を張設する。（図７−Ａ，Ｂ）
【００２０】
請求項８は、安全に素早く膜部材を張設する事を目的とする。（図７−Ａ，Ｂ）
回転途中で支柱１を停止固定し、またはこれを解除する機能を有する装置、例えばラチェット部材３１等を、ラチェット嵌合用ナット３２に嵌め、支柱固定用ボルト３０で支柱の抜け防止を施し、正逆切り替えレバー３５の操作により、これを回転または停止を可能にする事で、支柱の回転運動を制御する。
【００２１】
請求項９は、支柱部材１を他の既設物に固定することなく、少ない骨組部材数でテントの設営をなす事を目的とする。（図１１）
支柱への嵌合部１４を端部に有する横梁部材１２，１３で支柱上部間を連結し、嵌合部１４に掛かる支柱１のモーメントを、横梁部材１２，１３で吸収する事で支柱の自立を可能にする。
【発明の効果】
【００２２】
請求項１記載のように、上下方向への緊張力を有する側面部膜部材２を張設し壁相当部
を形成した事や、間口側の側面部膜部材を設けた事で、骨組部材の削減を可能にした。
【００２３】
請求項２記載のように、屋根部膜部材３の形状を多様にしたことで、多様な敷地や建造物への対応が可能となった。
【００２４】
請求項２記載のように、側面部膜部材２に屋根部膜部材３を連結する際に、側面部膜部材２の上辺部が障害壁となり、雨水は間口方向のみに流れ、側面隣接地への雨水の排出を防止し、また、側面部膜部材２が水切りの役目を担い、屋根裏面への水滴の流入を防ぐ。
【００２５】
平面状の屋根部膜部材３ａと、湾曲面状３ｂもしくは鞍型曲面状３ｃとを複合したことで、膜部材頂上部の高さを低く抑えた。
【００２６】
また、製作の主要工程を膜部材の加工に絞る事で、膜部材のサイズや形状の変更のみで、多様な敷地や建造物への対応が可能となり、迅速な生産を可能にする。
【００２７】
屋根部膜部材３の間口側縁部に、湾曲加工の側面部膜部材４を連結したことで、連結部に丸み１０を持たせ、雨水の排出を円滑にした。
【００２８】
また、上辺縁部及び下辺縁部を湾曲加工した間口側の側面部膜部材４は、屋根部膜部材３の間口側縁部に、張力を与えて安定させる。
【００２９】
湾曲加工の補強用膜部材１１は、強風等で生じる屋根部膜部材３のバタ付き（上下動）を抑えて雨水の飛散を防止し、また、この事は、膜部材の耐久性の向上をも可能にする。
【００３０】
請求項１，２，３、４記載の膜部材の形態、もしくは加工方法を採り入れる事で、最少の支柱部材数であるにも関わらず、雨水の滞留や、膜材のバタ付きが防止可能な組立式テントを実現させた。
【００３１】
骨組部材を、支柱のみとしたことで、運搬や組み立て及び解体作業にかかる労力を、大幅に軽減した。
【００３２】
請求項５記載の、中央部を支持部材１ｃで支持して構築する構造は、少ない骨組部材でテントの大型化を可能にした。  
【００３３】
請求項６記載の支柱の回転力による膜部材の張設方法を用いることで、テントの組立を、迅速かつ容易にした。
また、支柱を引き起こす際に、これの上端部に膜部材を引き掛ける事で、膜部材を建造物６の屋上に載せることを容易にする。
この事は、建造物６に上る作業工程を省く事で安全を確保し、労力の削減を可能にすると共に、墓の屋根に上がる行為は、忌み嫌われるので、これの回避も発明の効果である。
【００３４】
請求項７記載の支柱誘導部材３３を設けることで、支柱の回転運動のみで膜部材の張設を可能にする。
【００３５】
請求項８記載の支柱の回転運動の制御を可能とすることで、これもまた、支柱のみでの
膜部材の張設を可能にし、作業の技術や労力を軽減し、誰でも迅速簡単に設営できる。
【００３６】
請求項９記載の横梁部材１２，１３を用いてテントを自立させた事で、支柱の固定工事が省略されるため、緊急時やレジャー,各種イベント等に用途が広がる。
【発明を実施するための最良の形態】
【００３７】
以下は、本発明の実施の形態を、図面を例示的に用いて説明する。図はあくまでも、説明のための参考であって、本発明がこれらに限定されるものではない。
【００３８】
請求項１記載の実施例を述べる。（図１）
図１は、請求項１記載の、側面部膜部材の例示であって、上辺縁部と低辺縁部を湾曲状に加工したテンション構造とした。
この側面部膜部材２に初期張力を与える事で、緊張力が生じて安定し、壁相当部の形成を可能とする。  
【００３９】
次に、請求項２記載の実施例を述べる。（図２）
請求項２記載の、間口部に向かって勾配を有する平面状の屋根部膜部材３ａは、屋根部の奥行きが長いか、もしくは小勾配の場合、雨水の滞留が起きるため、短い奥行きの屋根部か、もしくは勾配が充分に確保可能な場合に於いて有効である。  
【００４０】
これに対し、間口部に向かって勾配を有する湾曲面状の屋根部膜部材３ｂは、長い奥行きの屋根部でも有効である。
【００４１】
鞍型曲面形状３ｃは、図３に示すように、全縁部に初期張力を与えることで、膜面は安定し、膜面の全ての位置に於いて水を下方へ導く構造となり、また、テンション構造であるため、膜面のパタつきもなく、骨組部材の削減に於いても優れた形状である。
【００４２】
屋根部膜部材の各形状の複合型について述べる。（図２−３ｄ）
湾曲面状３ｂや鞍型曲面形状３ｃは、間口部の中央部が下方に向かって湾曲する形状のため、これらの底辺部を建造物に接触させないためには、屋根部を高くする必要があり、この事がテント全体の強度や、作業の効率に影響を及ぼす事になる。
【００４３】
そこで、建造物の屋根部分と接触する屋根部膜部材の上流部を、平面状にし、その下流部を湾曲面もしくは鞍型曲面形状とすることで、膜部材の上流部の高さを抑え、上述の課題を解決する。図２−３ｄは、平面状と鞍型状の複合型である。
【００４４】
次に、請求項３記載の実施例を述べる。（図４）
これは、屋根部膜部材３の間口側の縁部の処理に関するもので、雨水の排出を円滑にし、また間口側縁部の安定を図ることを目的とする。
【００４５】
図４Ａに示すように、屋根部膜部材３の間口側の縁部９に連結する間口側の側面膜部材４の上辺縁部部１０を湾曲状にした事で、屋根部膜部材３の間口側の縁部９を湾曲状に導き、雨水の排出を円滑にする。この場合、屋根部膜部材３の間口側の縁部９も湾曲状にすることで、結合部がより丸みを増す。（図４Ｂ−ｇ）
【００４６】
同様に、図４Ａに示すように、屋根部膜部材３の側面側縁部１６と側面部膜部材２の縁
部１７を湾曲加工して連結する事で、結合部に丸み（図４Ｄ−ｋ）を持たせる事が可能と
なる。
屋根部膜部材３に、上述の湾曲加工の側面部膜部材を連結した場合の全体図の例示が、図４Ｃである。
【００４７】
次に、請求項４記載の、実施例を述べる（図５）。これは、補強用膜部材１１を用いて屋根部膜部材３の、風による上下動を抑えることを目的とする。
補強用膜部材１１の低辺縁部を湾曲状に、これの上辺縁部もまた湾曲状に加工し、この上
辺縁部を、湾曲状屋根部膜部材３ｂの裏面の所定位置に、壁相当部膜材２から対面する壁相当部膜材２に渡す様にして補強用膜部材１１を設ける。
また、平面状の屋根部膜部材３ａに対しては、上辺縁部を水平加工した補強用膜部材を連結する。この様に、低辺縁部が湾曲状の補強用膜部材１１を設ける事で、屋根部膜部材３に下方への張力を持たせ、膜面を安定させる事が可能となる。      
【００４８】
次に、請求項５記載の実施例を述べる。（図６）
これは、中央部が突出した形状の多角形状の、組立式テントである。
隣接する支柱間の、上辺縁部を湾曲状のテンション構造を有する側面部膜部材で連結し、この上辺縁部に、多角錘状の屋根部膜部材３ｅを載せる。
【００４９】
屋根部膜部材の頂上部を、支持用支柱部材１ｃで押し上げ、屋根部膜部材に張力を与え、雨水の滞留を防止する。
【００５０】
なお、請求項１、２，３，４，５に記載の組立式テントに於ける支柱の位置は、膜部材の外部に位置させる事も、または、膜部材の内部に位置させる事も可能である。
【００５１】
次に、請求項６記載の実施例を述べる。（図７，８）
これは、膜部材の張設作業を、容易にする事が目的である。
支柱を回転可能に固定し回転軸を設け、この軸を支点にして支柱を起こす。その際に支柱上端部に膜部材を引き掛けて所定の位置まで誘導し、張設をなす。
【００５２】
支柱部材を土間８に固定する場合は、回転軸は支柱の最下端部に位置し、支柱部材を壁７や軒５、もしくは既設建造物６等に固定する場合の回転軸は、支柱の途中に位置させる事も可能である。
【００５３】
次に、請求項７記載の実施例を述べる。（図７、８）
これは、請求項６同様に、膜部材の張設作業を、効率よく且つ容易にする事が目的である。
支柱の回転運動を、強制的に誘導するための支柱誘導部材３３を、回転方向に平行に設け、支柱上端部を目的の位置に移動させる事を可能にする。
【００５４】
これによって、膜部材の間口部と側面部の両方向に、同時に張力を与える事が可能となり、作業者の熟練度を必要としない。図９−Ａは張設前、図９−Ｂは調節後の例示である。
【００５５】
図１０は、支柱の回転運動によって、膜の張設をなす時の、支柱上端部の動きを俯瞰的にに見たものである。  
【００５６】
図１０−ｘは、膜部材の張設作業前に、支柱を戻したときの支柱上端部の位置である。この位置で膜部材を引き掛け、支柱を回転誘導板３３に沿って起こす事で、支柱上端部は、
図１０−ｚの位置に達し、膜部材の張設作業を容易に遂行できる。
【００５７】
次に、請求項８記載の実施例を述べる。（図７、８）
これもまた、支柱の回転を自在に制御することで、効率よく、容易に且つ安全に膜部材の張設作業をなす事が目的である。
【００５８】
支柱の回転軸にラチェット部材３１を設け、固定ナット３２にラチェットを嵌合し、ラチェット固定用部材３０で支柱取り付け部材３４に固定する。正逆切り替えレバー３５を
操作する事で支柱を回転、または、所定の位置で停止させ膜部材を張設する。（図７→８）
この時、支柱取り付け部材３４に設けた穴を利用し、土間等に固定する。
【００５９】
支柱の回転途中で固定が可能となる事で、膜部材の張力に依って支柱に生じる応力に対応可能となり、安全が確保できる。
【００６０】
支柱の立て起こし角度を、９０度を超えた鈍角域まで傾ける事で（図１−Ｂ）、間口奥行き部に於いては、建造物の軒５と膜部材間の隙間を無くし、また、入り口側間口に於いては、雨水を敷地外部に排出する事が可能となる。（図１−ｙ）
【００６１】
また、上述の鈍角域まで支柱を傾けた場合、支柱の自重や作業者の体重を掛けやすい状態となり、最も労力を必要とする膜部材張設作業の最終工程を容易にする。
【００６２】
なお、本発明に於ける支柱は、その形状を問わない。直線状（図１）、湾曲状（図１１）、Ｌ状、くの字状等の多彩な支柱形状での構築が可能である。  
【００６３】
支柱の回転軸部にラチェット状部材３１を設けたことで、支柱の回転途中や、膜部材の張設を終えた後も反転することなく、安全を確保できる。
また、ロープの結び作業等が不要なため、非熟練者に於いても組立が可能となる。
【００６４】
この支柱の回転の制御は、ラチェット状部材３１のみがこれを可能にするわけではなく、支柱の所定の位置に、回転を制御する部材を設けることでも可能となる。
【００６５】
次に、請求項９記載の実施例を述べる。（図１２）
これは、支柱を横梁で連結する事で固定し、上述の組立式テント（請求項１，２，３、４，５記載）を、活用する事を目的とする。
これによって、緊急な需要や、レンタル用、支柱固定部材の取り付けが困難な場所での設営が可能となり、用途を広げる。
【００６６】
支柱部材を他の建造物等に固定することなく、極力少ない骨組部材数でテントの設営をなす事を目的とする。
【００６７】
横梁部材１２，１３に伸縮可能部材１５を設け、これを縮めた状態で支柱に嵌め込んでそれぞれの支柱を連結し、支柱に膜部材を取り付けた後に、伸縮可能部材１５を伸ばす事で、横梁部材嵌合部を外側に移動させ、膜部材の張設をなす。
【００６８】
横梁部材の両端部に設ける支柱への嵌め込み部材（嵌合部材１４）に、所定の長さを持たせることで、支柱のモーメントを横梁部材１２，１３で吸収し、支柱が倒れることを防ぎ、自立を可能にする。
【００６９】
支柱部材１の水平断面と、嵌合部材１４の水平断面を矩形とすることで、支柱１と嵌合部材１４間での回転を止め、これで骨組全体のねじれを防止する。（図１２）
【００７０】
上述の、支柱１と嵌合部材１４の断面を矩形とする事と、勘合部材１４に所定の長さを与える事とで、頬杖部材やブレス等が不要となり、骨組部材の削減を図れる。
【００７１】
本発明に於ける支柱は、回転の不可を問わない。
例えば、支柱上端を、テントの外側、斜め下の地面に設けた杭に、ロープ等で連結して固定する事も可能である。
又予め、支柱を固定し、これに膜部材を張設する事も可能である。  
【００７２】
本発明は、上述の実施形態のみに限定されるものではなく、本発明の目的を達成できる範囲での変形、改造等は、本発明に含まれる。
【産業上の利用可能性】
【００７３】
本発明は、墓敷地内での行事、または、各種イベント等に供される組立式テントである。
【図面の簡単な説明】
【００７４】
【図１】側面部膜部材
【図２】多様な屋根部膜部材
【図３】鞍型曲面形状膜の例示
【図４】間口側の側面部膜部材
【図５】補強用膜部材
【図６】多角錘形組立式テント
【図７】支柱固定部材への支柱取り付け前
【図８】支柱固定部材への支柱取り付け後
【図９】膜部材張設作業の前後
【図１０】支柱上端部の位置説明
【図１１】支柱の形状
【図１２】横梁を使用した自立型テント
【符号の説明】
【００７５】
１支柱
１ａ奥側支柱
１ｂ前面部支柱
１ｃ中央部支持用支柱
２側面部膜部材
３屋根部膜部材
３ａ水平状屋根部膜部材
３ｂ湾曲状屋根部膜部材
３ｃ鞍型曲面状屋根部膜部材
３ｄ水平と鞍型の複合屋根部膜部材
３ｅ多角形状の屋根部膜部材
４間口側の側面膜部材
５既設建造物の軒
６既設建造物
７既設建造物を囲う壁
８土間
９屋根部膜部材の間口側縁部
１０間口側の側面膜部材縁部
１１補強用膜部材  
１２間口部横梁部材
１３側面部横梁部材
１４梁部材に設けた嵌合部材
１５横梁の伸縮用部材
１６屋根膜の側面縁部
１７側面部膜部材の上辺縁部
３０ラチェット部材固定用ボルト
３１ラチェット部材
３２ラチェット部材固定用ナット
３３支柱誘導部材
３４支柱固定部材
３５ラチェット切り替えレバー
【図１】
2008231833.tif 000003
【図２】
2008231833.tif 000004
【図３】
2008231833.tif 000005
【図４】
2008231833.tif 000006
【図５】
2008231833.tif 000007
【図６】
2008231833.tif 000008
【図７】
2008231833.tif 000009
【図８】
2008231833.tif 000010
【図９】
2008231833.tif 000011
【図１０】
2008231833.tif 000012
【図１１】
2008231833.tif 000013
【図１２】
2008231833.tif 000014